(57)【要約】【課題】それぞれ異なる距離感を持つ複数の音像が含まれる音場を再生する静電型スピーカを提供する。【解決手段】静電型スピーカ１は、導電性を有する振動体１０と、振動体１０にそれぞれ対向する第１電極及び第２電極と、振動体１０と第１電極、及び振動体１０と第２電極とを離間させる絶縁性の離間部材（スペーサ３０）と、第１音響信号に応じた電圧を、前記第１電極に印加する第１印加部と、前記第１音響信号と、第２音響信号とを混合した音響信号に応じた電圧を、前記第２電極に印加する第２印加部とを備える。前記第１電極を構成する電極２１は、振動体１０から見て同じ側にあって、前記第２電極を構成する電極２２と、その一端で隣り合うとともに、当該一端の反対側の他端で隣り合うように配置される。【選択図】図２
2013118442.tif 000002
【特許請求の範囲】
【請求項１】
導電性を有する振動体と、
前記振動体にそれぞれ対向する第１電極及び第２電極と、
前記振動体と前記第１電極、及び前記振動体と第２電極とをそれぞれ離間させる絶縁性の離間部材と、
第１音響信号に応じた電圧を、前記第１電極に印加する第１印加部と、
前記第１音響信号と第２音響信号とを混合した音響信号に応じた電圧を、前記第２電極に印加する第２印加部と
を備え、
前記第１電極は、前記第２電極と、当該第２電極の一端で隣り合うとともに、当該第２電極の一端の反対側の他端で隣り合うように配置される
ことを特徴とする静電型スピーカ。
【請求項２】
導電性を有する第１振動体と、前記第１振動体に対向する第１電極と、前記第１電極と前記第１振動体とを離間させる絶縁性の第１離間部材とを備える第１静電放音部と、
導電性を有する第２振動体と、前記第２振動体に対向する第２電極と、前記第２電極と前記第２振動体とを離間させる絶縁性の第２離間部材とを備える第２静電放音部と、
第１音響信号に応じた電圧を、前記第１電極に印加する第１印加部と、
前記第１音響信号と、第２音響信号とを混合した音響信号に応じた電圧を、前記第２電極に印加する第２印加部と
を備え、
前記第１振動体と前記第２振動体とは、同一の平面上に配置され、
前記第１電極は、前記第２電極と、当該第２電極の一端で隣り合うとともに、当該第２電極の一端の反対側の他端で隣り合うように配置される
ことを特徴とする静電型スピーカ。
【請求項３】
導電性を有する振動体と、
前記振動体にそれぞれ対向する第１電極及び第２電極と、
前記振動体と前記第１電極、及び前記振動体と第２電極とをそれぞれ離間させる絶縁性の離間部材と、
前記振動体の振動に応じて前記第１電極において発生する第１音響信号を出力する第１出力部と、
前記振動体の振動に応じて前記第２電極において発生する音響信号に、前記第１音響信号を加算した第２音響信号を出力する第２出力部と
を備え、
前記第１電極は、前記第２電極と、当該第２電極の一端で隣り合うとともに、当該第２電極の一端の反対側の他端で隣り合うように配置される
ことを特徴とする静電型マイクロフォン。
【請求項４】
導電性を有する第１振動体と、前記第１振動体に対向する第１電極と、前記第１電極と前記第１振動体とを離間させる絶縁性の第１離間部材とを備える第１静電収音部と、
導電性を有する第２振動体と、前記第２振動体に対向する第２電極と、前記第２電極と前記第２振動体とを離間させる絶縁性の第２離間部材とを備える第２静電収音部と、
前記振動体の振動に応じて前記第１電極において発生する第１音響信号を出力する第１出力部と、
前記振動体の振動に応じて前記第２電極において発生する音響信号に、前記第１音響信号を加算した第２音響信号を出力する第２出力部と
を備え、
前記第１振動体と前記第２振動体とは、同一の平面上に配置され、
前記第１電極は、前記第２電極と、当該第２電極の一端で隣り合うとともに、当該第２電極の一端の反対側の他端で隣り合うように配置される
ことを特徴とする静電型マイクロフォン。
【発明の詳細な説明】
【技術分野】
【０００１】
本発明は、静電型スピーカおよび静電型マイクロフォンに関する。
【背景技術】
【０００２】
聴取者に音までの距離を感じさせるための音響技術が研究されている。
特許文献１には、複数のスピーカを球面状または平面状に並べ、各スピーカに可変遅延素子、可変音量調整器をとりつけ、遅延量、音量を制御して複数の音波の焦点を作る立体音響再生方法が開示されている。
特許文献２には、形状を自在に変更できる凹状曲面の内側に複数の発音素子が配列された音響振動放射板を備え、聴取者の位置に対応した点に、各発音素子から出力される音響振動を収束させる指向性スピーカが開示されている。
特許文献３には、リフレクターホーンの球殻の一部を低音用スピーカの振動板にした指向性スピーカ装置が開示されている。
特許文献４には、凹曲面状、平面状、及び凸曲面状のいずれの形状にも変形可能なコンデンサスピーカを使用して放音方向を制御するスピーカ装置が開示されている。
特許文献５には、主スピーカとその周囲に配置される副スピーカとを備え、これらの各スピーカを共にピストン振動領域の周波数範囲内でかつ同相で加振し、主スピーカの加振で生じる音波の放射速度よりも副スピーカの加振で生じる音波の放射速度を小さく設定することにより、全体で主スピーカを中心とした擬似球面波を発生させるスピーカシステムが開示されている。
【先行技術文献】
【特許文献】
【０００３】
【特許文献１】特開平０３−１５９５００号公報
【特許文献２】特開平１１−２３９３９４号公報
【特許文献３】特開平０４−３３９４９４号公報
【特許文献４】特開２００７−１５８６５８号公報
【特許文献５】特開２００４−２９７７５２号公報
【発明の概要】
【発明が解決しようとする課題】
【０００４】
特許文献２，３，４に係る技術には、スピーカ等を立体的に配置するための空間が必要である。また、特許文献１，５に係る技術には、音響信号を遅延させるといった複雑な処理を行う必要がある。
さらに静電型スピーカは、振動面の垂直方向に平面波を出力する性質がある。そのため、静電型スピーカ以外のスピーカを用いた上記特許文献に係る技術を静電型スピーカに適用したとしても、音像定位の制御が困難であり、異なる距離感を持つ複数の音像を定位させることができないという問題があった。
【０００５】
また、この静電型スピーカの構成を、静電型マイクロフォンの構成として用いることも可能である。この場合、外部で発生した音波が振動板を振動させることで、音（音波）が音響信号（電気信号）へと変換されることになる。この静電型マイクロフォンでは、振動板の形状を変形させたり、位置を移動させたりせずに、音響信号へ変換される音が収音される空間を拡げたり狭めたりすることが望まれている。
【０００６】
本発明は、それぞれ異なる距離感を持つ複数の音像が含まれる音場を再生する静電型スピーカを提供することを目的とする。また、本発明は、それぞれ異なる距離感を持つ複数の音像が含まれる音場を収音する静電型マイクロフォンを提供することを目的とする。
【課題を解決するための手段】
【０００７】
上述した課題を解決するため、本発明に係る静電型スピーカは、導電性を有する振動体と、前記振動体にそれぞれ対向する第１電極及び第２電極と、前記振動体と前記第１電極、及び前記振動体と第２電極とをそれぞれ離間させる絶縁性の離間部材と、第１音響信号に応じた電圧を、前記第１電極に印加する第１印加部と、前記第１音響信号と第２音響信号とを混合した音響信号に応じた電圧を、前記第２電極に印加する第２印加部とを備え、前記第１電極は、前記第２電極と、当該第２電極の一端で隣り合うとともに、当該第２電極の一端の反対側の他端で隣り合うように配置されることを特徴とする。
【０００８】
また、本発明に係る静電型スピーカは、導電性を有する第１振動体と、前記第１振動体に対向する第１電極と、前記第１電極と前記第１振動体とを離間させる絶縁性の第１離間部材とを備える第１静電放音部と、導電性を有する第２振動体と、前記第２振動体に対向する第２電極と、前記第２電極と前記第２振動体とを離間させる絶縁性の第２離間部材とを備える第２静電放音部と、第１音響信号に応じた電圧を、前記第１電極に印加する第１印加部と、前記第１音響信号と、第２音響信号とを混合した音響信号に応じた電圧を、前記第２電極に印加する第２印加部とを備え、前記第１振動体と前記第２振動体とは、同一の平面上に配置され、前記第１電極は、前記第２電極と、当該第２電極の一端で隣り合うとともに、当該第２電極の一端の反対側の他端で隣り合うように配置されることを特徴とする。
【０００９】
また、本発明に係る静電型マイクロフォンは、導電性を有する振動体と、前記振動体にそれぞれ対向する第１電極及び第２電極と、前記振動体と前記第１電極、及び前記振動体と第２電極とをそれぞれ離間させる絶縁性の離間部材と、前記振動体の振動に応じて前記第１電極において発生する第１音響信号を出力する第１出力部と、前記振動体の振動に応じて前記第２電極において発生する音響信号に、前記第１音響信号を加算した第２音響信号を出力する第２出力部とを備え、前記第１電極は、前記第２電極と、当該第２電極の一端で隣り合うとともに、当該第２電極の一端の反対側の他端で隣り合うように配置されることを特徴とする。
【００１０】
また、本発明に係る静電型マイクロフォンは、導電性を有する第１振動体と、前記第１振動体に対向する第１電極と、前記第１電極と前記第１振動体とを離間させる絶縁性の第１離間部材とを備える第１静電収音部と、導電性を有する第２振動体と、前記第２振動体に対向する第２電極と、前記第２電極と前記第２振動体とを離間させる絶縁性の第２離間部材とを備える第２静電収音部と、前記振動体の振動に応じて前記第１電極において発生する第１音響信号を出力する第１出力部と、前記振動体の振動に応じて前記第２電極において発生する音響信号に、前記第１音響信号を加算した第２音響信号を出力する第２出力部とを備え、前記第１振動体と前記第２振動体とは、同一の平面上に配置され、前記第１電極は、前記第２電極と、当該第２電極の一端で隣り合うとともに、当該第２電極の一端の反対側の他端で隣り合うように配置されることを特徴とする。
【発明の効果】
【００１１】
本発明によれば、それぞれ異なる距離感を持つ複数の音像が含まれる音場を再生する静電型スピーカを提供することができる。また、本発明によれば、それぞれ異なる距離感を持つ複数の音像が含まれる音場を収音する静電型マイクロフォンを提供することができる。
【図面の簡単な説明】
【００１２】
【図１】本発明の実施形態に係る静電型スピーカの外観を示した斜視図である。
【図２】静電型スピーカの分解斜視図である。
【図３】電極の形状を示す図である。
【図４】静電型スピーカの電気的構成を示した図である。
【図５】混合部の機能を説明するための図である。
【図６】静電型スピーカにより音が出力される空間を説明するための図である。
【図７】静電型スピーカにより出力される音の波面を説明するための図である。
【図８】円形の電極を示す図である。
【図９】同心状ではない入れ子構造となっている電極の一例を示す図である。
【図１０】外縁の形状が互いに相似していない各電極の一例を示す図である。
【図１１】一方の方向にのみ入れ子構造となっている電極の一例である。
【図１２】櫛歯状の境界で互いが噛み合うように隣り合う電極の一例を示す図である。
【図１３】変形例に係る静電型スピーカの分解斜視図である。
【図１４】変形例に係る静電型マイクロフォンにより入力される音の波面を説明するための図である。
【図１５】静電型マイクロフォンの電気的構成を示した図である。
【図１６】混合部の機能を説明するための図である。
【発明を実施するための形態】
【００１３】
［実施形態］
図１は、本発明の実施形態に係る静電型スピーカ１の外観を示した斜視図である。以下の図において、Ｘ，Ｙ，Ｚは３軸の直交座標系の座標軸を意味している。互いに直交するＸ軸、Ｙ軸はいずれも静電型スピーカ１における音の出力面と平行であり、Ｚ軸が静電型スピーカ１における音の出力面に対して垂直である。静電型スピーカ１は、振動体１０、電極２１Ｕ，２２Ｕ，２３Ｕ、電極２１Ｌ，２２Ｌ，２３Ｌ（電極２２Ｌ，２３Ｌについては図２参照）、スペーサ３０Ｕ，３０Ｌを備えている。
【００１４】
なお、スペーサ３０Ｕとスペーサ３０Ｌの構成及び作用、電極２１Ｕと電極２１Ｌの構成及び作用、電極２２Ｌと電極２２Ｕの構成及び作用、及び電極２３Ｌと電極２３Ｕの構成及び作用は、夫々同じであるため、両者を区別する必要が特に無い場合は「Ｌ」および「Ｕ」の記載を省略する。そして、電極２１，２２，２３を総称して電極２０と表記する。
また、静電型スピーカ１のサイズの一例を挙げると、Ｘ軸方向およびＹ軸方向の長さは例えば数十ｃｍ〜数ｍ程度であるが、以下の図において静電型スピーカ１を構成する各部の寸法は、各部の形状を容易に理解できるように実際の寸法とは異ならせてある。静電型スピーカ１の厚み（Ｚ軸方向の長さ）は、実際には、図１に示したものよりも小さく、静電型スピーカ１は全体としてシート状の形状である。また、以下の図において、「○」の中に「・」が記載されたものは上記の座標軸の方向を示す矢印のうち、図面の裏から表に向かう矢印を意味するものとする。
【００１５】
（静電型スピーカの各部の構成）
まず、静電型スピーカ１を構成する各部について説明する。図２は、静電型スピーカ１の分解斜視図である。振動体１０は、例えば、ＰＥＴ（polyethylene terephthalate、ポリエチレンテレフタレート）またはＰＰ（polypropylene、ポリプロピレン）などの絶縁性および柔軟性を有する合成樹脂のフィルム（絶縁層）を基材とし、導電性を有する金属の導電膜が形成されたものである。振動体１０は、数μｍ程度の厚さで薄い膜状となっているため、外力を受けると自在に変形する。振動体１０は、Ｚ軸方向からみて矩形の形状となっている。
【００１６】
スペーサ３０は、可撓性及び絶縁性を有し、振動体１０と電極２０とを離間させて、振動体１０と電極２０との間に空気層を形成するための離間部材であり、空気または音波の通過が可能となっている。スペーサ３０は、例えば不織布やクッション材などである。また、スペーサ３０は、弾性を有しており、外部から力を加えられると変形し、外部から加えられた力が取り除かれると元の形状に戻る。なお、弾性部材３０は、絶縁性があり、音が透過し、弾性がある部材であればよく、中綿に熱を加えて圧縮したもの、織られた布、絶縁性を有する合成樹脂を海綿状にしたものなどであってもよい。スペーサ３０は、Ｚ軸方向からみて矩形の形状である。スペーサ３０のＸ軸方向の長さと、振動体１０のＸ軸方向の長さは同じであり、スペーサ３０のＹ軸方向の長さと、振動体１０のＹ軸方向の長さは同じである。また、スペーサ３０Ｕとスペーサ３０ＬのＺ軸方向の長さは、いずれも同じとなっている。
【００１７】
振動体１０は、たるみが生じないように張力を掛けられた状態でスペーサ３０Ｕとスペーサ３０Ｌの枠の間に挟まれている。振動体１０は、そのＸ軸方向の縁とＹ軸方向の縁からそれぞれ内側へ数ｍｍの幅で接着剤が塗布されてスペーサ３０Ｕとスペーサ３０Ｌに固着されている。振動体１０の接着剤が塗布されていない部分は、スペーサ３０Ｕとスペーサ３０Ｌに固着されていない。
【００１８】
電極２１、電極２２及び電極２３は、所謂パンチングメタルであって、導電性を有する金属板の表面から裏面に貫通する複数の貫通孔が所定間隔で複数設けられたものである。なお、図面においては、この貫通孔の図示を省略している。
【００１９】
図３は、電極２０の形状を示す図である。図３に示すように、電極２１、電極２２及び電極２３は、Ｚ軸方向から見て入れ子構造になっている。具体的には、中央に矩形の電極２３が配置され、この電極２３の周囲を電極２２が囲んでいる。この電極２２の周囲を電極２１が囲んでいる。したがって、電極２１および電極２２の形状は、いずれも内側に矩形の穴が開けられた矩形である。これらの矩形は正方形であってもよい。電極２１及び電極２２、並びに電極２２及び電極２３は、いずれも離間しているため互いに絶縁している。
【００２０】
また、上述した配置は以下のように言い換えられる。すなわち、Ｘ軸に平行で電極２３を通る直線Ｓｆにおいて、電極２２は、電極２３と、その一端で隣り合うとともに、この一端の反対側の他端でも隣り合うように配置されている。また、この直線Ｓｆにおいて、電極２１は、電極２２と、その一端で隣り合うとともに、この一端の反対側の他端でも隣り合うように配置されている。
【００２１】
（静電型スピーカの電気的構成）
次に、静電型スピーカ１の電気的構成について説明する。図４は、静電型スピーカ１の電気的構成を示した図である。図４に示したように、静電型スピーカ１は変圧器５１，５２，５３と、それぞれ異なる音響信号が入力される入力部６１，６２，６３（以下、特に区別の必要がない場合は、これらを総称して「入力部６０」と記す）と、振動体１０に対して直流バイアスを与えるバイアス電源７０とを備えている。
【００２２】
バイアス電源７０は、正極側が振動体１０の導電膜に接続され、負極側が変圧器５１，５２，５３の出力側の中点に接続されている。
変圧器５１の出力側の一端は電極２１Ｕに接続され、他端は電極２１Ｕに対向している電極２１Ｌに接続されている。そして、変圧器５１の入力側は入力部６１に接続されており、入力部６１に音響信号が入力されると音響信号に応じた電圧が電極２１Ｕと電極２１Ｌに印加される。この構成において、入力部６１に入力された音響信号に応じた電圧が、振動体１０を挟んで対向する電極２１Ｕ及び電極２１Ｌに印加されることで、静電型スピーカ１は、プッシュプル型の静電型スピーカとして動作する。すなわち、電極２１Ｕ及び電極２１Ｌは、振動体１０を挟んで対向する電極対を構成する。
【００２３】
変圧器５２の出力側の一端は電極２２Ｕに接続され、他端は電極２２Ｕに対向している電極２２Ｌに接続されている。そして、変圧器５２の入力側は入力部６２に接続されており、入力部６２に音響信号が入力されると音響信号に応じた電圧が電極２２Ｕと電極２２Ｌに印加される。この構成において、入力部６２に入力された音響信号に応じた電圧が、振動体１０を挟んで対向する電極２２Ｕ及び電極２２Ｌに印加されることで、静電型スピーカ１は、プッシュプル型の静電型スピーカとして動作する。すなわち、電極２２Ｕ及び電極２２Ｌは、振動体１０を挟んで対向する電極対を構成する。
【００２４】
変圧器５３の出力側の一端は電極２３Ｕに接続され、他端は電極２３Ｕに対向している電極２３Ｌに接続されている。そして、変圧器５３の入力側は入力部６３に接続されており、入力部６３に音響信号が入力されると音響信号に応じた電圧が電極２３Ｕと電極２３Ｌに印加される。この構成において、入力部６３に入力された音響信号に応じた電圧が、振動体１０を挟んで対向する電極２３Ｕ及び電極２３Ｌに印加されることで、静電型スピーカ１は、プッシュプル型の静電型スピーカとして動作する。すなわち、電極２３Ｕ及び電極２３Ｌは、振動体１０を挟んで対向する電極対を構成する。
【００２５】
静電型スピーカ１には３つの音源が接続され、各音源からは音響信号ＳＧ１，ＳＧ２，ＳＧ３が出力される。混合部８０は、混合器８１，８２，８３を備え、これらにより上記の３つの音響信号ＳＧ１，ＳＧ２，ＳＧ３を、以下の態様で混合して入力部６０に送る。図５は、混合部８０の機能を説明するための図である。例えば図５（ａ）に示すように、音響信号ＳＧ１は、入力部６１に入力されるとともに、２箇所で分岐して混合器８１，８２に供給される。
【００２６】
音響信号ＳＧ２は、分岐して一方が混合器８３に供給され、他方が混合器８１に供給される。混合器８１に供給された音響信号ＳＧ２は、音響信号ＳＧ１と混合させられた後、入力部６２に入力される。
【００２７】
音響信号ＳＧ３は、混合器８２に供給され、音響信号ＳＧ１と混合させられた後、さらに混合器８３に供給され、音響信号ＳＧ２と混合させられた上で、入力部６３に入力される。したがって、入力部６１には、音響信号ＳＧ１が入力される。また、入力部６２には、音響信号ＳＧ１と音響信号ＳＧ２とが混合された音響信号（音響信号ＳＧ１＋音響信号ＳＧ２）が入力される。そして、入力部６３には、音響信号ＳＧ１と音響信号ＳＧ２と音響信号ＳＧ３とが混合された音響信号（音響信号ＳＧ１＋音響信号ＳＧ２＋音響信号ＳＧ３）が入力される。
【００２８】
なお、混合部８０の混合器の構成は上述したものに限られない。例えば、図５（ｂ）に示すように混合器８１の後に分岐点があってもよい。具体的には、以下のとおりである。すなわち、音響信号ＳＧ１は、１箇所で分岐して一方が入力部６１に入力されるとともに、他方が混合器８１に供給される。音響信号ＳＧ２は、混合器８１に供給され、音響信号ＳＧ１と混合される。混合器８１により混合された音響信号は、分岐させられて一方が入力部６２に入力され、他方が混合器８２に供給される。そして、混合器８２は、音響信号ＳＧ１ではなく、混合器８１から供給された音響信号（音響信号ＳＧ１＋音響信号ＳＧ２）と、音響信号ＳＧ３とを混合して入力部６３に入力すればよい。この場合、混合部８０は、混合器８３を備えていなくてもよい。
【００２９】
（静電型スピーカの動作）
次に静電型スピーカ１の動作について説明する。図６は、静電型スピーカ１により音が出力される空間を説明するための図である。領域Ｒ３は、電極２３からＺ軸正方向に延びていく空間上の領域である。領域Ｒ２は、電極２２のうち電極２３に隣接し、電極２３のＸ軸正方向に配置される部分からＺ軸正方向に延びていく空間上の領域である。領域Ｒ４は、電極２２のうち電極２３に隣接し、電極２３のＸ軸負方向に配置される部分からＺ軸正方向に延びていく空間上の領域である。領域Ｒ１は、電極２１のうち電極２２に隣接し、電極２２のＸ軸正方向に配置される部分からＺ軸正方向に延びていく空間上の領域である。領域Ｒ５は、電極２１のうち電極２２に隣接し、電極２２のＸ軸負方向に配置される部分からＺ軸正方向に延びていく空間上の領域である。電極２１，２２，２３は、スペーサ３０を介して振動体１０（図６において図示略）を挟み、印加された電圧に応じてこの振動体１０の対応する部分をそれぞれ振動させて音を出力させる。これらの音は、平面波となってＺ軸正方向に直進する。したがって、図６に示すように、電極２１に印加された電圧により振動体１０から出力される音波は平面波として、主に電極２１からＺ軸正方向に広がる空間である領域Ｒ１および領域Ｒ５に向けて出力される。電極２２に印加された電圧により振動体１０から出力される音波は平面波として、主に領域Ｒ２および領域Ｒ４に向けて出力される。電極２３に印加された電圧により振動体１０から出力される音波は平面波として、主に領域Ｒ３に向けて出力される。
【００３０】
図７は、静電型スピーカ１により出力される音の波面を模式的に説明するための図である。図７（ａ）には、振動体１０（図７において図示略）から出力される音のうち、音響信号ＳＧ３が示す音の波面Ｗａが示されている。音響信号ＳＧ３は、入力部６３にのみ入力されているので、音響信号ＳＧ３に応じた電圧は、電極２１および電極２２に印加されず、電極２３にのみ印加される。電極２３に印加される電圧によって、電極２３Ｕと電極２３Ｌに挟まれた振動体１０の部分が振動すると、図７（ａ）に示す領域Ｒ３には、この振動による音が平面波としてＺ軸正方向に伝搬する。一方、振動体１０の他の部分、例えば、電極２１Ｕと電極２１Ｌに挟まれた部分や、電極２２Ｕと電極２２Ｌに挟まれた部分は、音響信号ＳＧ３が示す音を出力しない。したがって、音響信号ＳＧ３が示す音は、領域Ｒ１および領域Ｒ２には、振動体１０のうち電極２３Ｕと電極２３Ｌに挟まれた部分から拡散する平面波ではない音波として届く。すなわち、音響信号ＳＧ３が示す音は、静電型スピーカ１により図７（ａ）に示す波面Ｗａを形成する音波として出力される。この波面Ｗａは、領域Ｒ３において平面であるが、領域Ｒ１および領域Ｒ２において曲面であるため、後述する領域Ｒ１から領域Ｒ５までの領域全体で平面波を形成する波面Ｗｃよりも球面波に近い波面を形成する。
【００３１】
図７（ｂ）には、振動体１０から出力される音のうち、音響信号ＳＧ２が示す音の波面Ｗｂが模式的に示されている。音響信号ＳＧ２は、入力部６２および入力部６３に入力されており、入力部６１には入力されていない。そのため、音響信号ＳＧ２に応じた電圧は、電極２１に印加されず、電極２２および電極２３に印加される。電極２２に印加される電圧によって、電極２２Ｕと電極２２Ｌに挟まれた振動体１０の部分が振動すると、図７（ｂ）に示す領域Ｒ２には、この振動による音が平面波としてＺ軸正方向に伝搬する。そして、電極２３に印加される電圧によって、電極２３Ｕと電極２３Ｌに挟まれた振動体１０の部分が振動すると、図７（ｂ）に示す領域Ｒ３には、この振動による音が平面波として、領域Ｒ２の平面波と同相で、Ｚ軸正方向に伝搬する。一方、振動体１０の他の部分、つまり、電極２１Ｕと電極２１Ｌに挟まれた部分は、音響信号ＳＧ２が示す音を出力しない。したがって、音響信号ＳＧ２が示す音は、領域Ｒ１には、振動体１０のうち、電極２１Ｕと電極２１Ｌとにそれぞれ隣り合う電極２２Ｕと電極２２Ｌに挟まれた部分から拡散する平面波ではない音波として届く。すなわち、音響信号ＳＧ２が示す音は、静電型スピーカ１により図７（ｂ）に示す波面Ｗｂを形成する音波として出力される。この波面Ｗｂは、領域Ｒ２、領域Ｒ４および領域Ｒ３において平面であるが、領域Ｒ１および領域Ｒ５において曲面であるため、上述した波面Ｗａよりも平面波に近い波面であって、後述する領域Ｒ１から領域Ｒ５までの領域全体で平面波を形成する波面Ｗｃよりも球面波に近い波面を形成する。
【００３２】
図７（ｃ）には、振動体１０から出力される音のうち、音響信号ＳＧ１が示す音の波面Ｗｃが模式的に示されている。音響信号ＳＧ１は、入力部６１，６２，６３に入力されている。そのため、音響信号ＳＧ１に応じた電圧は、電極２１，２２，２３の全てに印加される。電極２１に印加される電圧によって、電極２１Ｕと電極２１Ｌに挟まれた振動体１０の部分が振動すると、図７（ｃ）に示す領域Ｒ１には、この振動による音が平面波としてＺ軸正方向に伝搬する。そして、電極２２および電極２３に印加される電圧によって、電極２２Ｕと電極２２Ｌに挟まれた振動体１０の部分、および電極２３Ｕと電極２３Ｌに挟まれた振動体１０の部分がそれぞれ振動すると、図７（ｃ）に示す領域Ｒ２および領域Ｒ３には、これらの振動による音が平面波として、領域Ｒ１の平面波と同相で、それぞれＺ軸正方向に伝搬する。したがって、音響信号ＳＧ１が示す音は、領域Ｒ１，Ｒ２，Ｒ３，Ｒ４，Ｒ５のいずれにおいても、図７（ｃ）に示すように平面波である波面Ｗｃを形成する。
【００３３】
ここで、電極２１Ｕと電極２１Ｌによって構成される電極対を本発明における第１電極とし、音響信号ＳＧ１を本発明における第１音響信号とすると、この第１音響信号に応じた電圧は、入力部６１および変圧器５１により、この第１電極に印加される。
【００３４】
そして、この場合、音響信号ＳＧ２が本発明における第２音響信号となり、第１音響信号（音響信号ＳＧ１）と第２音響信号（音響信号ＳＧ２）とは、混合器８１により混合される。この混合された音響信号に応じた電圧は、入力部６２および変圧器５２により、電極２２Ｕと電極２２Ｌによって構成される電極対に印加される。
【００３５】
第１電極を構成する電極２１Ｕは、振動体１０から見て同じ側にある電極２２Ｕと、その電極２２Ｕの一端で隣り合うとともに、この一端の反対側の他端で隣り合うように配置される。また、第１電極を構成する電極２１Ｌは、振動体１０から見て同じ側にある電極２２Ｌと、その電極２２Ｌの一端で隣り合うとともに、この一端の反対側の他端で隣り合うように配置される。つまり、この場合、電極２２Ｕと電極２２Ｌによって構成される電極対は本発明における第２電極である。
【００３６】
また、ここで、電極２２Ｕと電極２２Ｌによって構成される電極対を本発明における第１電極とし、混合器８１が音響信号ＳＧ１と音響信号ＳＧ２とを混合した音響信号を第１音響信号とすると、この第１音響信号に応じた電圧は、入力部６２および変圧器５２により、この第１電極に印加される。
【００３７】
そして、この場合、音響信号ＳＧ３が本発明における第２音響信号となり、第１音響信号（音響信号ＳＧ１と音響信号ＳＧ２を混合した音響信号）と第２音響信号（音響信号ＳＧ３）とは、図５（ｂ）に示した例においては混合器８２により、図５（ａ）に示した例においては混合器８２と混合器８３とにより混合される。この混合された音響信号に応じた電圧は、入力部６３および変圧器５３により、電極２３Ｕと電極２３Ｌによって構成される電極対に印加される。
【００３８】
第１電極を構成する電極２２Ｕは、振動体１０から見て同じ側にある電極２３Ｕと、その電極２３Ｕの一端で隣り合うとともに、この一端の反対側の他端で隣り合うように配置される。また、第１電極を構成する電極２２Ｌは、振動体１０から見て同じ側にある電極２３Ｌと、その電極２３Ｌの一端で隣り合うとともに、この一端の反対側の他端で隣り合うように配置される。つまり、この場合、電極２３Ｕと電極２３Ｌによって構成される電極対は本発明における第２電極である。
【００３９】
出力される音の波面の形状によって、聴取者にその音までの距離が異なって感じられることがわかっている。具体的には、聴取者にとって、平面波によって届く音は、球面波によって届く音に比べて近くに感じられる。上述したように、音響信号ＳＧ２が示す音は波面Ｗｂを形成し、音響信号ＳＧ３が示す音は波面Ｗａを形成する。そして、波面Ｗｂの方が波面Ｗａよりも相対的に平面波に近いので、聴取者にとっては、音響信号ＳＧ３が示す音よりも音響信号ＳＧ２が示す音の方が近くに感じられる。同様に音響信号ＳＧ１が示す音は波面Ｗｂよりも相対的に平面波に近い波面Ｗｃを形成するので、聴取者にとっては、音響信号ＳＧ２が示す音よりも音響信号ＳＧ１が示す音の方が近くに感じられる。すなわち、この構成により放音される音響信号ＳＧ１，ＳＧ２，ＳＧ３が示す音により、聴取者にとって、それぞれ異なる距離感を持つ複数の音像が定位する。なお、領域Ｒ１，Ｒ２，Ｒ３の大きさは、人間の両耳間の長さに応じて決められてもよい。これにより、平面波から球面波までの各波面Ｗａ、Ｗｂ、Ｗｃの形状が、任意の態様で異なる形状となるように、各波面Ｗａ、Ｗｂ、Ｗｃを聴取者に放音することができる。
【００４０】
また、これらの波面Ｗａ、Ｗｂ、Ｗｃは、振動体１０における音の放射面積がそれぞれ異なっており、放射面積が大きいほど距離減衰が小さくなるため、遠くの聴取位置では、各電極２１，２２，２３から放音される音の音量差が大きくなる。このため、音響信号ごとに音量を調整したい場合には、入力部６０から電極２０までの間に別途、音量を調整するゲイン調整手段を設ければよい。
【００４１】
また、静電型スピーカ１は、複数の電極２１，２２，２３をそれぞれ平面状に配置されるので、音の出力面を球殻状に配置する場合に比べて空間を必要とせず、嵩張らない。そして、静電型スピーカ１は、音響信号に対して遅延処理を行う必要がないため、遅延処理を行う制御装置を備えたスピーカと比較して構成が簡素である。さらに、静電型スピーカ１は、電極２１，２２，２３のそれぞれによって振動体１０にそれぞれ指向性のある放音を行わせる。例えば、無指向性のスピーカを複数並べた場合において、これら複数スピーカから放音される各音は、拡散して重畳したり干渉したりするので、これによる波面の乱れが発生する場合がある。一方、この静電型スピーカ１の複数の電極によって同じ音響信号が示す音を放音させると、各電極に対応する振動体１０から放音される音にそれぞれ指向性があるため、上述した乱れが発生することが少ない平面波を形成させ易い。
【００４２】
［変形例］
上述した実施形態の内容を以下のように変形してもよい。以下に示す各変形例は、必要に応じて組み合わせて実施されてもよい。
【００４３】
（変形例１）
上述した実施形態において電極２１，２２，２３は、導電性を有する金属で形成されているが、導電性を有する糸を織った布であってもよい。この構成によれば、静電型スピーカ１は、その形状を曲面状にしたり折り曲げたりするなど自在に変形させることができる。
【００４４】
（変形例２）
上述した実施形態において電極２０は、３つであったが、２つであってもよいし、４つ以上であってもよい。要するに、電極２０は振動体１０を挟んで対向する２つの電極によって構成される複数の電極対を構成し、振動体１０から見て同じ側にある電極のうち、或る電極が他の電極と、その他の電極の一端で隣り合うとともに、その一端の反対側の他端でも隣り合うように配置されていればよい。
【００４５】
（変形例３）
上述した実施形態において電極２３は、Ｚ軸方向から見て矩形であり、電極２１および電極２２の形状は、いずれもＺ軸方向から見て、内側に矩形の穴が開けられた矩形であったが、これら電極２０の形状は矩形に限られない。例えば、円形や楕円形など曲線で囲われた形状であってもよい。図８は、円形の電極２０ａを示す図である。この場合であっても、電極２３ａを通る直線Ｓｆにおいて、電極２２ａは、電極２３ａと、その一端で隣り合うとともに、その一端の反対側の他端でも隣り合うように配置されており、また、電極２１ａは、電極２２ａと、その一端で隣り合うとともに、その一端の反対側の他端でも隣り合うように配置されている。
【００４６】
（変形例４）
上述した実施形態および変形例３において、電極２０は、平面における同心状の入れ子構造となるように配置されていたが、各電極２０の配置は、同心状でなくてもよい。図９は、同心状ではない偏心状である入れ子構造となっている電極２０ｂの一例を示す図である。なお、ここでいう「偏心状」とは、各電極２０の点対称の中心がそれぞれ偏っていて一致していない状態を表す。
【００４７】
図９に示す例では、例えば電極２３ｂは、電極２２ｂに囲まれているが、電極２２ｂの中心よりＸ軸正方向に位置している。したがって、電極２２ｂと電極２３ｂとは同心状に配置されていない。この場合であっても、電極２２ｂは、電極２３ｂと、その一端で隣り合うとともに、その一端の反対側の他端でも隣り合うように配置されており、電極２１ｂは、電極２２ｂと、その一端で隣り合うとともに、その一端の反対側の他端でも隣り合うように配置されている。
【００４８】
（変形例５）
上述した実施形態において、電極２０は、それぞれの外縁の形状が相似形であったが、これら電極２０の各外縁の形状が相似形でなくてもよい。図１０は、外縁の形状が互いに相似していない各電極２０ｃの一例を示す図である。図１０に示す例において、電極２１ｃ，２２ｃ，２３ｃは、それぞれの外縁の形状が矩形であるが、縦横比が互いに異なる。この場合であっても、電極２２ｃは、電極２３ｃと、その一端で隣り合うとともに、その一端の反対側の他端でも隣り合うように配置されており、電極２１ｃは、電極２２ｃと、その一端で隣り合うとともに、その一端の反対側の他端でも隣り合うように配置されている。
【００４９】
（変形例６）
上述した実施形態において、電極２０は、Ｘ軸方向のみならずＹ軸方向にも平面における入れ子構造となっていたが、いずれか一方の方向に入れ子構造であればよい。図１１は、一方の方向にのみ入れ子構造となっている電極２０ｄの一例である。図１１に示す例では、Ｘ軸方向に沿った直線Ｓｆにおいて、電極２２ｄが電極２３ｄと、その一端で隣り合うとともに、その一端の反対側の他端でも隣り合うように配置されており、また、電極２１ｄが電極２２ｄと、その一端で隣り合うとともに、その一端の反対側の他端でも隣り合うように配置されている。各電極２０ｄのＹ軸方向の長さは同じであるため、電極２０ｄの配置は、Ｙ軸方向に入れ子構造となっていない。この場合であっても聴取者はＸ軸方向にある左右の耳で音を捉えるので、Ｘ軸方向において電極２０が入れ子構造となっている場合において、その放音された音が平面波に近いか球面波に近いかを判別することが可能である。そのため、聴取者にとって、それぞれ異なる距離感を有する複数の音像が定位する。
【００５０】
（変形例７）
上述した実施形態または変形例において、各電極２０は１本の直線または曲線で隣り合っていたが、複数の直線、曲線、およびこれらを組み合わせた線で隣り合っていてもよく、例えば、凹凸のあるいわゆる櫛歯状の境界で互いが噛み合うように隣り合っていてもよい。図１２は、櫛歯状の境界で、互いが噛み合うように隣り合う電極２０ｅの一例を示す図である。図１２に示す例では、電極２１ｅは、電極２２ｅに向かって突出する部分を有しており、電極２２ｅは、電極２１ｅに向かって突出する部分を有している。同様に、電極２２ｅは、電極２３ｅに向かって突出する部分を有しており、電極２３ｅは、電極２２ｅに向かって突出する部分を有している。これら突出する部分は互いに噛み合うように隣り合っているため、これらの部分に印加された電圧によって振動体１０からそれぞれ発生する各音は、振動体１０の他の部分から発生する音に比べて、互いに混じり易くなる。静電型スピーカは、出力面から音を直進させるため、主に平面波として音を出力するが、出力面の境界部分は音を拡散させる。図１２に示したように、隣り合う電極２０同士が境界部分を入り組ませている場合、上述した拡散させられる音が互いに混じり合うため、隣り合う電極２０同士が境界部分を入り組ませていない場合に比べて、聴取者が各領域において聴く音のつながりが円滑になる。
【００５１】
（変形例８）
上述した実施形態においては、１つの振動体１０を挟むように電極２１，２２，２３が配置されていたが、電極２１ｆ，２２ｆ，２３ｆのそれぞれに挟まれる振動体が互いに分離していてもよい。図１３は、この変形例に係る静電型スピーカ１の分解斜視図である。図１３に示すように、静電型スピーカ１は、第１の静電放音部に相当する放音部４１と、第２の静電放音部に相当する放音部４２と、第３の静電放音部に相当する放音部４３とを備えている。これら放音部４１、放音部４２及び放音部４３はそれぞれが単体で機能し得る静電型スピーカとして構成されている。
【００５２】
上述した実施形態と異なり、この変形例においてスペーサ３０ｆは、電極２１ｆ，２２ｆ，２３ｆとＸＹ平面上の形状がそれぞれ対応するように、スペーサ３１，３２，３３に分かれている。また振動体１０ｆは、電極２１ｆ，２２ｆ，２３ｆとＸＹ平面上の形状がそれぞれ対応するように、振動体１１，１２，１３に分かれている。放音部４１は、振動体１１をスペーサ３１Ｕおよびスペーサ３１ＬでＺ軸方向に沿って挟んでおり、さらにこれらを電極２１Ｕｆおよび電極２１ＬｆでＺ軸方向に沿って挟むことで形成されている。すなわち、電極２１Ｕｆ及び電極２１Ｌｆは、振動体１１を挟んで対向する電極対を構成する。放音部４２は、振動体１２をスペーサ３２Ｕおよびスペーサ３２ＬでＺ軸方向に沿って挟んでおり、さらにこれらを電極２２Ｕｆおよび電極２２ＬｆでＺ軸方向に沿って挟むことで形成されている。すなわち、電極２２Ｕｆ及び電極２２Ｌｆは、振動体１２を挟んで対向する電極対を構成する。放音部４３は、振動体１３をスペーサ３３Ｕおよびスペーサ３３ＬでＺ軸方向に沿って挟んでおり、さらにこれらを電極２３Ｕｆおよび電極２３ＬｆでＺ軸方向に沿って挟むことで形成されている。すなわち、電極２３Ｕｆ及び電極２３Ｌｆは、振動体１３を挟んで対向する電極対を構成する。
【００５３】
放音部４２は、ＸＹ平面上で放音部４３の周囲を囲むように配置される。そして、放音部４１は、ＸＹ平面上で放音部４２の周囲を囲むように配置される。つまり、電極２１ｆは電極２２ｆと、その一端で隣り合うとともに、その一端の反対側の他端でも隣り合うように配置されている。また、電極２２ｆは電極２３ｆと、その一端で隣り合うとともに、その一端の反対側の他端でも隣り合うように配置されている。そして、このとき振動体１１，１２，１３は同一の平面上に配置されていてもよい。この構成において、各放音部は分離されているので、それぞれの電極に対応する振動体が独立して振動することが容易である。また、この構成であっても、聴取者にとって、それぞれ異なる距離感を有する複数の音像が定位する。
【００５４】
（変形例９）
上述した実施形態では、静電型スピーカ１は、振動体１０を一対の電極で挟むプッシュプルの構成となっているが、静電型スピーカ１の構成は、この構成に限定されるものではない。例えば、一つのスペーサ３０を一対の互いに対向する導電膜で挟み、導電膜の一方を電極とし、他方の導電膜を振動体とするシングル型（プッシュ型）の構成であってもよい。
【００５５】
（変形例１０）
上述した実施形態および変形例は、入力された音響信号に基づいて放音する静電型スピーカ１について記載していたが、この静電型スピーカ１の構成を静電型マイクロフォンなどの収音装置に用いてもよい。つまり、電気音響変換器の音に関する相反定理（可逆性）に基づき、電気信号を音（音波）に変換する静電型スピーカを、音（音波）を電気信号に変換する静電型マイクロフォンに適用すればよい。
【００５６】
図１４は、この変形例に係る静電型マイクロフォン１Ｍにより入力される音の波面を説明するための図である。静電型マイクロフォン１Ｍは、上述した静電型スピーカ１と同じ振動体１０、電極２０などを備えている。
【００５７】
上述したように、音源に近いほど、静電型マイクロフォン１Ｍに入射する音の波面の形状は、相対的に平面よりも球面に近くなる。図１４（ａ）に示すように静電型マイクロフォン１Ｍから近くの地点で発生した音は、比較的球面波に近い形状である波面Ｗｄとなって電極２１，２２，２３に届き、これらに対応する位置の振動体１０を振動させる。ここで電極に届いた時点で平面に近い波面形状となっている音の成分が音として変換されやすいと仮定すると、波面Ｗｄのうち、電極２３に届いた部分の形状が最も平面に近く、それ以外である電極２１，２２に届いた部分の形状は平面よりも球面に近い。したがって、図１４（ａ）に示す場合では、振動体１０のうち電極２３に対応する部分がよく振動し、この音の成分は主に電極２３によって音響信号（以下、音響信号ＳＧｄという）に変換される。
【００５８】
次に、上述した波面Ｗｄを形成した音よりも静電型マイクロフォン１Ｍから遠い位置で発生した音は、例えば、図１４（ｂ）に示すように、波面Ｗｄよりも平面波に近い波面Ｗｅを形成する。波面Ｗｅのうち、電極２２，２３に届いた部分の形状は平面に近いが、電極２１に届いた部分の形状は球面に近い。したがって、図１４（ｂ）に示す場合では、振動体１０のうち電極２２，２３に対応する部分がよく振動し、この音の成分は主に電極２２，２３によって音響信号（以下、音響信号ＳＧｅという）に変換される。
【００５９】
そして、上述した波面Ｗｅを形成した音よりも静電型マイクロフォン１Ｍから遠い位置で発生した音は、例えば、図１４（ｃ）に示すように、波面Ｗｅよりも平面波に近い波面Ｗｆを形成する。波面Ｗｆは、電極２１，２２，２３のほぼ全面に平面波として届く。したがって、図１４（ｃ）に示す場合では、振動体１０のほぼ全面である電極２１，２２，２３に対応する部分が振動し、この音の成分は電極２１，２２，２３のいずれにおいても音響信号（以下、音響信号ＳＧｆという）に変換される。
【００６０】
図１５は、静電型マイクロフォン１Ｍの電気的構成を示した図である。この構成は、図４に示した静電型スピーカ１とほとんどの点で共通しており、入力部６０（すなわち入力部６１，６２，６３）に代えて、出力部９０（すなわち、出力部９１，９２，９３）が備えられている点が異なる。静電型マイクロフォン１Ｍでは、静電型スピーカ１と信号の伝送する方向が逆である。
【００６１】
電極２１は、上述したとおり、波面Ｗｆを形成した音を音響信号ＳＧｆに変換し、波面Ｗｄ，Ｗｅを形成した各音を変換し難い。したがって、変圧器５１を介して電極２１に対応する出力部９１には、波面Ｗｆを形成した音に由来する音響信号ＳＧｆのみが伝送する。
【００６２】
電極２２は、波面Ｗｆを形成した音を音響信号ＳＧｆに変換することに加えて、波面Ｗｅを形成した音を変換した音響信号ＳＧｅに変換する。ただし、波面Ｗｄは、球面波に近いため、電極２１において、波面Ｗｄに由来する音は音響信号にほとんど変換されない。したがって、変圧器５２を介して電極２２に対応する出力部９２には、電極２２から発生した音響信号ＳＧｅと音響信号ＳＧｆとが混合されて伝送する。
【００６３】
電極２３は、波面Ｗｄを形成した音を音響信号ＳＧｄに変換する。したがって、変圧器５３を介して電極２３に対応する出力部９３には、電極２３から発生した音響信号ＳＧｄと、音響信号ＳＧｅと音響信号ＳＧｆとが混合されて伝送する。
【００６４】
ここで、静電型マイクロフォン１Ｍは、各電極２０によって変換された音響信号に決められた演算を施すことにより、音源ごとに分離する混合部８０ａを備える。図１６は、混合部８０ａの機能を説明するための図である。例えば図１６（ａ）に示すように、出力部９１から出力される音響信号ＳＧｆは、混合部８０ａにおいて２箇所で分岐するが、他の音響信号との演算はなされず、そのまま音響信号ＳＧ１として出力される。
【００６５】
出力部９２から出力される音響信号は、音響信号ＳＧｅと音響信号ＳＧｆとを混合したものである。混合部８０ａは、混合器８４によりこの音響信号から音響信号ＳＧｆを分離（除去）する。したがって、混合器８４を経た後、音響信号ＳＧｅのみが音響信号ＳＧ２として出力される。
【００６６】
出力部９３から出力される音響信号は、音響信号ＳＧｄと音響信号ＳＧｅと音響信号ＳＧｆとを混合したものである。混合部８０ａは、混合器８５によりこの音響信号から音響信号ＳＧｅを分離（除去）し、混合器８６によりこの音響信号から音響信号ＳＧｆを分離（除去）する。したがって、混合器８５，８６を経た後、音響信号ＳＧｄのみが音響信号ＳＧ３として出力される。
【００６７】
なお、混合部８０ａを構成する混合器の構成は上述したものに限られない。例えば、図１６（ｂ）に示すように、音響信号を混合器８５へ分岐させた後に混合器８４があってもよい。出力部９３から出力される音響信号は、音響信号ＳＧｄと音響信号ＳＧｅと音響信号ＳＧｆとを混合したものであるが、この場合、混合部８０ａは、混合器８５によりこの音響信号から音響信号ＳＧｅおよび音響信号ＳＧｆを分離（除去）する。したがって、混合器８５を経た後、音響信号ＳＧｄのみが音響信号ＳＧ３として出力される。
【００６８】
また、出力部９２から出力される音響信号は、音響信号ＳＧｅと音響信号ＳＧｆとを混合したものであるが、混合部８０ａは、混合器８４によりこの音響信号から音響信号ＳＧｆを分離（除去）する。したがって、混合器８４を経た後、音響信号ＳＧｅのみが音響信号ＳＧ２として出力される。そして、音響信号ＳＧｆは、音響信号ＳＧ１として出力される。つまり、この図１６（ｂ）に示した場合であっても、ＳＧ１〜ＳＧ３はそれぞれ音源別に分離される。そして、この場合、混合部８０ａは、混合器８６を備えていなくてもよい。
【００６９】
静電型マイクロフォン１Ｍは、音源から放射された音を、振動体１０から、その音が発生した（音源までの距離ごとに）波面の形状に応じて分離して収音する。
なお、変圧器５１，５２，５３のインピーダンスが低いような場合には、出力部９１，９２，９３により出力される電気信号をそれぞれ増幅器で増幅してもよい。
また、静電型マイクロフォン１Ｍは、変形例８に示したように振動体が互いに分離していてもよい。この場合、静電型マイクロフォン１Ｍは、例えば、複数の静電収音部を備えていればよい。すなわち、これら複数の静電収音部は、導電性を有する振動体と、この振動体に対向する電極と、この電極と振動体とを離間させる絶縁性のスペーサとをそれぞれ備えていればよい。
【符号の説明】
【００７０】
１…静電型スピーカ、１Ｍ…静電型マイクロフォン、１０…振動体、２０，２１，２２，２３…電極、３０…スペーサ、４１，４２，４３…放音部、５１，５２，５３…変圧器、６０，６１，６２，６３…入力部、７０…バイアス電源、８０，８０ａ…混合部、８１，８２，８３，８４，８５，８６…混合器、９０，９１，９２，９３…出力部
【図１】
2013118442.tif 000003
【図２】
2013118442.tif 000004
【図３】
2013118442.tif 000005
【図４】
2013118442.tif 000006
【図５】
2013118442.tif 000007
【図６】
2013118442.tif 000008
【図７】
2013118442.tif 000009
【図８】
2013118442.tif 000010
【図９】
2013118442.tif 000011
【図１０】
2013118442.tif 000012
【図１１】
2013118442.tif 000013
【図１２】
2013118442.tif 000014
【図１３】
2013118442.tif 000015
【図１４】
2013118442.tif 000016
【図１５】
2013118442.tif 000017
【図１６】
2013118442.tif 000018